(57)【要約】      （修正有）【課題】相互に関連する種別の端末状態や連動関係の確認を簡単且つ確実に行う画面表示を可能とする火災報知設備を提供する。【解決手段】受信機１０から引き出された信号回線１２−１〜１２−３にアナログ火災感知器１４を含む異なる種別の端末を接続して火災を監視し、端末管理部４８により端末毎に設置場所、種別、動作等の状態を含む端末情報５２を記憶して管理する。端末情報表示制御部５０は、受信機１０のディスプレイ３６に表示する端末情報表示画面を第１画面と第２画面に分割し、例えば第１画面にアナログ火災感知器１４、防排煙機器２４などの複数の種別の端末状態を表示し、第２画面には第１画面から絞り込んだ特定の種別の端末状態を表示する。【選択図】図１
2020107167.tif 000002
【特許請求の範囲】
【請求項１】
受信機から引き出された信号回線に火災感知器及び防排煙機器を含む異なる種別の端末を接続して火災を監視する火災報知設備に於いて、
前記受信機に、
前記信号回線に接続された前記端末の情報を示す端末情報を記憶して管理する端末管理部と、
ディスプレイを複数画面に分割し、前記複数画面毎に指定した指定条件の端末の端末情報を表示する端末情報表示制御部と、
が設けられたことを特徴とする火災報知設備。
【請求項２】
請求項１記載の火災報知設備に於いて、
前記端末管理部は、端末間の連動関係を記憶して管理し、
前記端末情報表示制御部は、
前記複数画面のうちいずれかの画面で端末情報が選択されたとき、前記端末情報を選択した画面とは異なる画面で前記選択された端末情報の端末と連動関係にある連動端末の端末情報を識別可能に表示する、
ことを特徴とする火災報知設備。
【請求項３】
請求項２記載の火災報知設備に於いて、
前記端末情報表示制御部は、
前記複数画面のうちいずれかの画面における指定条件は火災検出を行う端末が指定されると共に、別の画面における指定条件は連動先の端末が指定されることを特徴とする火災報知設備。
【請求項４】
請求項２記載の火災報知設備に於いて、
前記端末情報は端末状態を含むことを特徴とする火災報知設備。
【請求項５】
請求項４記載の火災報知設備に於いて、
前記複数画面のうち少なくとも一つは、端末状態変化の発生時刻順に端末情報を表示することを可能とする、
ことを特徴とする火災報知設備。
【請求項６】
請求項４又は５記載の火災報知設備に於いて、
前記端末状態は直近の端末状態であることを特徴とする火災報知設備。
【請求項７】
請求項６記載の火災報知設備に於いて、
前記端末情報表示制御部は、
制御完了前の連動端末の端末情報と制御完了後の連動端末の端末情報のうち、いずれかを強調表示することを特徴とする火災報知設備。
【請求項８】
請求項４又は５記載の火災報知設備に於いて、
前記複数画面で履歴表示を行うことを特徴とする火災報知設備。
【請求項９】
請求項８記載の火災報知設備に於いて、
設定された設定時刻における端末状態を履歴表示するものであって、
設定時刻以前の直近の端末状態変化情報を元に前記設定時刻における端末状態を特定することを特徴とする火災報知設備。
【請求項１０】
請求項１記載の火災報知設備に於いて、
前記指定条件は端末の種別であることを特徴とする火災報知設備。
【請求項１１】
請求項１０記載の火災報知設備に於いて、
前記端末の種別として、火災感知器及び発信機を含む火報端末、防火戸及び排煙装置を含む防排煙端末、連動制御される連動用端末、障害警報中の障害警報端末、所定の監視に用いられる監視端末、及び接点信号を入力する接点入力端末の少なくとも何れかを指定することを特徴とする火災報知設備。
【請求項１２】
請求項１記載の火災報知設備に於いて、
前記指定条件は端末の設置位置であることを特徴とする火災報知設備。
【請求項１３】
請求項１記載の火災報知設備に於いて、
前記端末情報表示制御部は、前記指定条件を指定する指定操作部を前記複数画面の各々に画面表示したことを特徴とする火災報知設備。
【請求項１４】
請求項１記載の火災報知設備に於いて、
前記受信機に対しネットワーク回線を介して１又は複数の中継盤が接続され、前記中継盤から引き出された信号回線に火災感知器及び防排煙機器を含む異なる種別の端末が接続され、前記中継盤に前記信号回線に接続された前記端末の状態を示す端末情報が記憶して管理され、前記中継盤で火災を検出した場合に前記受信機に通知して火災警報を出力させる分散システムが構成されており、
前記受信機の前記端末情報表示制御部は、前記中継盤に記憶された前記端末情報に基づいて、前記ディスプレイに前記中継盤からの前記信号回線に接続された異なる種別の端末状態を前記複数画面に分けて表示することを特徴とする火災報知設備。
【発明の詳細な説明】
【技術分野】
【０００１】
本発明は、受信機から引き出された信号回線に固有のアドレスが設定された火災感知器や防排煙機器等の複数種別の端末を接続して火災を監視する火災報知設備に関する。
【背景技術】
【０００２】
従来、Ｒ型として知られた火災報知設備にあっては、受信機から引き出された信号回線に、固有のアドレスが設定された伝送機能を有する火災感知器等の端末を接続し、火災検出時には、火災感知器からの火災割込みに基づき、受信機から検索コマンドを発行して発報した火災感知器のアドレスを特定して煙濃度や温度等の火災データを収集し、火災データが所定の火災閾値を超えた場合に火災と判断し、火災代表灯を点灯して主音響警報を出力し、更に、受信機に設けられたディスプレイに、火災発生メッセージ、火災発生場所、火災発生時刻、受信機操作ガイダンス等を表示した火災警報画面を表示させている。このような受信機は各端末機器の動作状態を表示することが可能である。
【０００３】
図１１は１画面で種別の異なる端末状態を表示する従来の施工工事の際に受信機のディスプレイに表示される端末情報表示画面を示す。図１１に示すように、端末情報表示画面２００には、火報、防排煙、連動用、障害端末、ガス、監視、Ｐ入力、連動先等の操作釦が配置された指定操作部２０２が設けられ、例えば、連動先を除く全ての操作釦を黒丸で示すように画面クリック等により操作した場合には、受信機で記憶管理している端末情報に基づき、端末状態表示部２０４に受信機からの信号回線に接続されている端末の状態がアドレス順に表示される。
【０００４】
ここで、受信機からの信号回線に設定可能な最大アドレスは例えば２５５アドレスであり、端末状態表示部２０４に表示できるアドレス数には制約があることから、画面のスクロール操作により必要とするアドレスの端末状態を表示して確認することができる。
【先行技術文献】
【特許文献】
【０００５】
【特許文献１】特開２００７−２６５３５３号公報
【特許文献２】特開２００７−２１９８７０号公報
【発明の概要】
【発明が解決しようとする課題】
【０００６】
しかしながら、このような受信機の端末状態の確認作業にあっては、図１０に示す指定操作部２０２の操作により複数の種別を指定することで、指定した種別に該当する多数の端末状態が画面表示され、画面表示された端末状態の中から特定の種別に絞り込んで端末状態を見たい場合には、改めて絞り込む種別の指定による端末状態の画面表示が必要となり、多数の種別端末の中から特定の種別端末に端末状態を絞り込んで画面表示するには、手間と時間がかかる問題がある。
【０００７】
また、火災感知器から火災発報信号を受信して防排煙機器を連動制御する連動試験にあっては、連動元となる火災感知器の端末状態を種別指定により画面表示した後に、画面表示した特定の火災感知器の端末状態を指定すると共に連動先の種別を指定し、連動先の端末状態の表示画面に切替え表示する必要があり、この場合にも関連する連動元の端末状態と連動先の端末状態が別画面となることで、連動関係の確認と連動制御による端末状態の確認に手間と時間がかかる問題がある。同様に、火災が発生した際の連動対象端末の状態把握や火災発生後の連動対象端末の状態変化の履歴確認などにも手間と時間がかかっていた。
【０００８】
本発明は、相互に関連する種別の端末状態や連動関係の確認を簡単且つ確実に行う画面表示を可能とする火災報知設備を提供することを目的とする。
【課題を解決するための手段】
【０００９】
（火災報知設備）
本発明は、受信機から引き出された信号回線に火災感知器及び防排煙機器を含む異なる種別の端末を接続して火災を監視する火災報知設備に於いて、
受信機に、
信号回線に接続された端末の情報を示す端末情報を記憶して管理する端末管理部と、
ディスプレイを複数画面に分割し、複数画面毎に指定した指定条件の端末の端末情報を表示する端末情報表示制御部と、
が設けられたことを特徴とする。
【００１０】
（所定画面による別の画面の絞り込み状態表示）
端末管理部は、端末間の連動関係を記憶して管理し、
端末情報表示制御部は、
複数画面のうちいずれかの画面で端末情報が選択されたとき、端末情報を選択した画面とは異なる画面で選択された端末情報の端末と連動関係にある連動端末の端末情報を識別可能に表示する。
【００１１】
ここで、識別可能に表示とは、対象の端末情報に対し、色を変える、文字を大きくする等の表示形態を異ならせる表示、対象の端末情報のみを表示等を意味する。
【００１２】
（所定画面に火災検出を行う端末を表示し、別の画面に連動先の端末を表示）
端末情報表示制御部は、
複数画面のうちいずれかの画面における指定条件は火災検出を行う端末が指定されると共に、別の画面における指定条件は連動先の端末が指定され、端末情報は端末状態を含むようにする。
【００１３】
また、複数画面のうち少なくとも一つは、端末状態変化の発生時刻順に端末情報を表示することを可能とする。
【００１４】
端末状態は直近の端末状態とする。
【００１５】
端末情報表示制御部は、制御完了前の連動端末の端末情報と制御完了後の連動端末の端末情報のうち、いずれかを強調表示する。
【００１６】
複数画面で履歴表示を行う。例えば、設定された設定時刻における端末状態を履歴表示するものであって、設定時刻以前の直近の端末状態変化情報を元に設定時刻における端末状態を特定する。
【００１７】
火災検出を行う端末とは、火災検知器、ガス漏れ検知器、火災時に押下される発信機等を含む端末である。
【００１８】
（指定条件）
また、指定条件は端末の種別である。端末の種別として、火災感知器及び発信機を含む火報端末、防火戸及び排煙装置を含む防排煙端末、連動制御される連動用端末、障害警報中の障害警報端末、所定の監視に用いられる監視端末、及び接点信号を入力する接点入力端末の少なくとも何れかを指定する。また、指定条件は端末の設置位置としても良い。
【００１９】
（複数画面の指定操作部）
また、端末情報表示制御部は、指定条件を指定する指定操作部を複数画面の各々に画面表示する。
【００２０】
（分散システムの端末状態の複数画面による表示）
受信機に対しネットワーク回線を介して１又は複数の中継盤が接続され、中継盤から引き出された信号回線に火災感知器及び防排煙機器を含む異なる種別の端末が接続され、中継盤に信号回線に接続された端末の状態を示す端末情報が記憶して管理され、中継盤で火災を検出した場合に受信機に通知して火災警報を出力させる分散システムが構成されており、
受信機の端末情報表示制御部は、中継盤に記憶された端末情報に基づいて、ディスプレイに中継盤からの信号回線に接続された異なる種別の端末状態を複数画面に分けて表示する。
【発明の効果】
【００２１】
（基本的な効果）
本発明は、受信機から引き出された信号回線に火災感知器及び防排煙機器を含む異なる種別の端末を接続して火災を監視する火災報知設備に於いて、受信機に、信号回線に接続された端末の情報を示す端末情報を記憶して管理する端末管理部と、ディスプレイを複数画面に分割し、複数画面毎に指定した指定条件の端末の端末情報を表示する端末情報表示制御部とが設けられたため、火災報知設備の端末状態を確認する際に、受信機から引き出された信号回線に接続されている火災感知器や防排煙機器等の種別の異なる多数の端末の端末状態を、必要に応じて複数画面に分けてディスプレイ上に並べて表示することで、種別は異なるが相互に関連する端末間の端末状態の確認を簡単且つ確実に行うことができる。
【００２２】
（所定画面による別の画面の絞り込み状態表示）
また、端末管理部は、端末間の連動関係を記憶して管理し、端末情報表示制御部は、複数画面のうちいずれかの画面で端末情報が選択されたとき、端末情報を選択した画面とは異なる画面で選択された端末情報の端末と連動関係にある連動端末の端末情報を識別可能に表示するようにしたため、連動関係にある端末間の端末状態の確認を簡単且つ確実に行うことができると共に確認が必要な端末の優先順位を上げて確認しやすくすることができる。
【００２３】
（所定画面に火災検出を行う端末を表示し、別の画面に連動先の端末を表示）
端末情報表示制御部は、複数画面のうちいずれかの画面における指定条件は火災検出を行う端末が指定されると共に、別の画面における指定条件は連動先の端末が指定され、端末情報は端末状態を含むようにしたため、火災発生した際の連動端末の動作状態を容易に確認可能となり対応を早めることができる。また、試験の際に確認する機器のみを絞り込んで表示することで試験を簡単化することが可能となる。
【００２４】
また、複数画面のうち少なくとも一つは、端末状態変化の発生時刻順に端末情報を表示することを可能としたため、例えば、発報順に火災感知器を並べ、発報した火災感知器に対応する防排煙設備のリストをアドレス順に並べることで、直近発報や第１発報など注目したい火災感知器について対応する防排煙設備の動作状態を漏れなくチェックできる。また、動作順に防排煙機器を並べることで、火災感知器に連動して防排煙機器がどの順番で動作したか確認可能となる。
【００２５】
また、履歴表示でない場合には端末状態は直近の端末状態としたため、端末情報の画面表示反映時点の端末状態を表示するか、及び又は、端末が動作して端末状態が変化したとき又は定期的な更新により端末状態が変化したときの端末状態を表示することで、直近の端末状態を簡単且つ容易に確認可能となり、古い端末状態でなく最新の端末状態を元に対応を検討するので誤りを防ぐことが可能となる。
【００２６】
また、端末情報表示制御部は、制御完了前の連動端末の端末情報と制御完了後の連動端末の端末情報のうち、いずれかを強調表示するようにしたため、例えば防火戸の制御完了前の端末情報は「確認」であり、制御完了後の端末情報は「起動」となることから、例えば「起動」を強調表示することで、連動動作の確認が簡単且つ確実にできる。
【００２７】
また、複数画面で履歴表示を行い、例えば、設定された設定時刻における端末状態を履歴表示するものであって、設定時刻以前の直近の端末状態変化情報を元に設定時刻における端末状態を特定するようにしたため、時間ごとに状態を記憶することなく設定時刻における最新の端末状態が特定可能となり、履歴解析時や試験時等に、指定した端末の履歴を簡単且つ容易に確認することができる。
【００２８】
（指定条件の効果）
また、指定条件は端末の種別であり、例えば、端末の種別として、火災感知器及び発信機を含む火報端末、防火戸及び排煙装置を含む防排煙端末、連動制御される連動用端末、障害警報中の障害警報端末、所定の監視に用いられる監視端末、及び接点信号を入力する接点入力端末の少なくとも何れかを指定し、また、指定条件は端末の設置位置としても良く、更に、端末情報表示制御部は、指定条件を指定する指定操作部を複数画面の各々に画面表示するようにしたため、工事関係者は、受信機のディスプレイに複数画面に表示された指定操作部による連動関係の指定による種別端末を簡単に指定して、指定した連動関係にある端末状態を連動元と連動先の画面に分けて表示することができる。
【００２９】
（分散システムの端末状態の複数画面による表示の効果）
また、受信機に対しネットワーク回線を介して１又は複数の中継盤が接続され、中継盤から引き出された信号回線に火災感知器及び防排煙機器を含む異なる種別の端末が接続され、中継盤に信号回線に接続された端末の状態を示す端末情報が記憶して管理され、中継盤で火災を検出した場合に受信機に通知して火災警報を出力させる分散システムが構成されており、受信機の端末情報表示制御部は、中継盤に記憶された端末情報に基づいて、ディスプレイに中継盤からの信号回線に接続された異なる種別の端末状態を複数画面に分けて表示するようにしたため、受信機に加え、中継盤から引き出された信号回線に接続されている火災感知器や防排煙機器等の種別の異なる多数の端末の端末状態を、必要に応じて複数画面に分けて受信機のディスプレイ上に並べて表示することで、中継盤からの信号回線に接続されている、種別は異なるが相互に関連する端末間の端末状態の確認を簡単且つ確実に行うことができる。
【図面の簡単な説明】
【００３０】
【図１】端末情報表示画面を２画面に分割して端末状態を表示する火災報知設備の実施形態を示した説明図
【図２】受信機に記憶された端末情報の一例を示した説明図
【図３】端末情報表示画面の表示形式を示した説明図
【図４】第１画面と第２画面により連動元と連動先の端末状態を表示した端末情報表示画面の一例を示した説明図
【図５】第１画面に全種別の端末状態を表示し、第２画面に火報端末の状態を絞込み表示した端末情報表示画面の一例を示した説明図
【図６】第１画面に全種別の端末状態を表示し、第２画面に監視端末とＰ入力端末の状態を絞込み表示した端末情報表示画面の一例を示した説明図
【図７】第１画面に全種別の端末状態を表示し、第２画面に防排煙端末の状態を絞込み表示した端末情報表示画面の一例を示した説明図
【図８】第１画面に火報端末の状態を表示し、第２画面に防排煙端末の状態を表示した端末情報表示画面の一例を示した説明図
【図９】受信機による端末状態表示制御を示したフローチャート
【図１０】中継盤の端末状態を受信機の端末情報表示画面により表示する火災報知設備の実施形態を示した説明図
【図１１】１画面で種別の異なる端末状態を表示する従来の端末情報表示画面を示した説明図
【発明を実施するための形態】
【００３１】
［火災報知設備］
（火災報知設備の概要）
図１は端末情報表示画面を２画面に分割して端末状態を表示する火災報知設備の実施形態を示した説明図である。図１に示すように、施工工事が完了して運用状態にある火災報知設備は、火災報知設備が設置された建物の一階の管理人室などには例えばＲ型の受信機１０が設置され、受信機１０から警戒区域に対し系統毎に分けて信号回線１２−１〜１２−３が引き出されている。
【００３２】
信号回線１２−１には固有のアドレスが設定された伝送機能を有する複数のアナログ火災感知器１４が接続され、また、固有のアドレスが設定された伝送機能を有する中継器１６から引き出された感知器回線１７にオンオフ火災感知器１８及び発信機２０が接続されている。
【００３３】
信号回線１２−２には複数のアナログ火災感知器１４の接続に加え、固有のアドレスが設定された伝送機能を有するアドレッサブル発信機２２が接続されている。更に、信号回線１２−３には固有のアドレスが設定された伝送機能を有する中継器１６を介して防火戸や排煙装置等の防排煙機器２４が接続されている。
【００３４】
更に、伝送回線１２−１〜１２−３には、固有のアドレスが設定された伝送機能を有するガス漏れ警報器、防犯検知器、接点信号を送信するＰ入力端末（接点入力端末）等の端末が必要に応じて接続されているが、図示は省略している。
【００３５】
ここで、信号回線１２−１〜１２−３に接続されるアナログ火災感知器１４、中継器１６等の端末機器に設定される最大アドレス数を例えば２５５としており、信号回線１２には最大２５５台の火災感知器１４を含む端末が接続できる。なお、以下の説明では、信号回線１２−１〜１２−３を区別する必要がない場合は、信号回線１２という場合がある。
【００３６】
（受信機の機能構成）
受信機１０には、メインＣＰＵ２６と複数のサブＣＰＵ基板２８−１〜２８−３が設けられ、サブＣＰＵ基板２８−１〜２８−３にはサブＣＰＵ３０−１〜３０−３と伝送部３２−１〜３２−３が設けられている。
【００３７】
メインＣＰＵ２６とサブＣＰＵ３０−１〜３０−３は、シリアル転送バス３４で接続されており、相互にデータを送受信する。なお、以下の説明では、サブＣＰＵ３０−１〜３０−３及び伝送部３２−１〜３２−３を区別する必要がない場合はサブＣＰＵ３０及び伝送部３２という場合がある。
【００３８】
メインＣＰＵ２６には、液晶表示パネル等を用いたタッチパネル付きのディスプレイ３６、火災、ガス漏れ、障害の代表灯、ＬＥＤ表示灯等が設けられた表示部３８、施工保守モードと火災監視モードを切り替えるスイッチや火災監視に必要な各種のスイッチが設けられた操作部４０、スピーカが設けられた音響警報部４２、及び、移報部４４が接続されている。
【００３９】
また、メインＣＰＵ２６には図示しないＵＳＢポートが設けられ、可搬自在なＵＳＢメモリをセットすることでデータの読出しや書込みを可能としている。
【００４０】
メインＣＰＵ２６にはプログラムの実行により実現される機能として火災監視制御部４６、端末管理部４８及び端末情報表示制御部５０が設けられる。
【００４１】
また、メインＣＰＵ２６には、アナログ火災感知器１４、オンオフ火災感知器１８が接続された中継器１６、アドレッサブル発信機２２、防排煙機器２４が接続された中継器１６等の端末に関する端末情報５２が記憶されている。
【００４２】
メインＣＰＵ２６に対する端末情報５２の記憶は、火災報知設備の施工段階で工場等の製造元にて作成され、ＵＳＢメモリに格納して受信機１０のＵＳＢポートにセットし、受信機１０を所定の操作により施工保守モードに切り替えた状態で、ＵＳＢメモリから読み出され、メインＣＰＵ２６の不揮発メモリ上に端末情報５２として記憶される。
【００４３】
（端末情報）
図２は受信機に記憶された端末情報の一例を示した説明図である。図２に示すように、端末情報５２は、系統、アドレス、種別、回線、階毎に分けられており、任意番号となる表示メッセージとして例えば「劇場１Ｆ東」、「劇場１Ｆ東−１」といった地区名が格納され、続いて、端末の状態として例えばアナログ煙感知器により火災を検出した場合は「火災」、防火戸を連動制御した場合は閉鎖検出に基づく「確認」といった動作状態が格納され、続いて、連動先の端末情報としてアドレス「００２」「００３」「００４」といった連動先情報が格納されている。
【００４４】
なお、端末情報５２で種別以降が空欄となっているアドレスは未使用アドレスである。また、メインＣＰＵ２６に記憶された端末情報５２は、火災報知設備の施工工事が完了して受信機１０を火災監視モードに切り替えて火災監視制御部４６が機能した運用中は、火災地区表示や連動制御のための端末情報としてそのまま利用される。
【００４５】
（受信機の火災監視制御）
火災報知設備の施工工事が完了して受信機１０を火災監視モードに切り替えた運用中における火災監視制御は次のようになる。
【００４６】
サブＣＰＵ基板２８−１のサブＣＰＵ３０−１を例にとると、サブＣＰＵ３０−１は伝送部３２−１に指示してアナログ火災感知器１４との間で所定の通信プロトコルに従って信号を送受信することで、火災監視制御を行っている。
【００４７】
伝送部３２−１からアナログ火災感知器１４に対する下り信号は電圧モードで伝送している。この電圧モードの信号は、信号回線１２−１の線路電圧を例えば１８ボルトと３０ボルトの間で変化させる電圧パルスとして伝送される。
【００４８】
これに対しアナログ火災感知器１４から伝送部３２−１に対する上り信号は電流モードで伝送される。この電流モードにあっては、信号回線１２−１に伝送データのビット１のタイミングで信号電流を流し、いわゆる電流パルス列として上り信号が受信機１０に伝送される。
【００４９】
サブＣＰＵ３０−１による火災監視制御は、通常の監視中にあっては、一定周期毎に、伝送部３２−１に指示して、一括ＡＤ変換コマンドを含むブロードキャストの一括ＡＤ変換信号を送信しており、この一括ＡＤ変換信号を受信したアナログ火災感知器１４は、煙濃度又は温度をセンサデータとして検出して保持する。続いて、サブＣＰＵ３０−１は、端末アドレスを順次指定したポーリングコマンドを含む呼出信号を送信している。
【００５０】
アナログ火災感知器１４は自己アドレスに一致するアドレスを持つ呼出信号を受信すると、そのとき保持しているセンサのアナログデータを含む応答信号を伝送部３２−１に送信する。また、アナログ火災感知器１４はセンサのアナログデータが所定の火災判定レベルより低い所定の火災プリレベルに達したことを検出すると伝送部３２−１に対し火災割込み信号を送信する。
【００５１】
サブＣＰＵ３０−１は伝送部３２−１を介して火災割込み信号を受信すると、グループ検索コマンド信号を送信して火災を検出しているアナログ火災感知器１４を含むグループを特定し、続いて、グループ内検索コマンド信号を送信して火災を検出しているアナログ火災感知器１４のアドレスを特定してセンサのアナログデータを集中的に収集し、シリアル転送バス３４を介してメインＣＰＵ２６に送信する。
【００５２】
メインＣＰＵ２６はサブＣＰＵ３０−１から受信したアナログデータを所定の火災判定レベル（火災閾値）と比較しており、アナログデータが火災判定レベルに達した場合に火災と判定し、表示部３８の火災代表灯を点灯し、音響警報部４２のスピーカから火災発生を示す所定の主音響警報を出力させ、ディスプレイ３６に火災が検出された感知器アドレスに基づき火災発生場所を含む火災警報情報を表示させ、更に、移報部４４により火災移報信号を外部に出力して所定の移報制御等を行わせる。
【００５３】
サブＣＰＵ基板２８−２に設けられたサブＣＰＵ３０−２と伝送部３２−２による火災監視制御も、前述したサブＣＰＵ基板２８−１の場合と同じになる。また、サブＣＰＵ基板２８−３に設けられたサブＣＰＵ３０−３と伝送部３２−３については、メインＣＰＵ２６で火災が検知された場合に図２に示した端末情報５２の連動先に基づき防排煙機器２４の連動制御が行なわれる。
【００５４】
［火災報知設備の施工］
（火災報知設備の施工時の構成）
図１に示した火災報知設備の施工工事は、まず管理人室等に受信機１０を設置し、続いて受信機１０から警戒区域に向けて信号回線１２−１〜１２−３を引き出して敷設する配線工事を行う。
【００５５】
続いて、受信機１０から引き出された信号回線１２−１〜１２−３に、アナログ火災感知器１４、オンオフ火災感知器１８が接続された中継器１６、アドレッサブル発信機２２、防排煙機器２４が接続された中継器１６等の端末を接続する施工作業を行い、接続後に試験を行って正常に動作することを確認し、全ての施工工事が終了したら消防検査が行われ、これに合格した場合に、受信機１０を火災監視モードに切り替えて運用を開始し、火災監視制御に入ることになる。
【００５６】
端末管理部４８は、信号回線１２−１〜１２−３に対するアナログ火災感知器１４、オンオフ火災感知器１８が接続された中継器１６、アドレッサブル発信機２２、防排煙機器２４等の端末の施工状況及び動作試験による端末状態等を示す図２の端末情報５２を生成して管理する制御を行う。
【００５７】
また、端末情報表示制御部５０は、端末情報５２に基づき、ディスプレイ３６に端末情報表示画面を複数画面、例えば２画面に分割して端末状態を表示する制御を行う。
【００５８】
（端末情報表示画面の表示形式）
図３は端末情報表示画面の表示形式を示した説明図である。図３に示すように、施行状況端末情報表示画面６０は、表示画面を左右の第１画面６２−１と第２画面６２−２に分割している。第１画面６２−１の上部には第１指定操作部６４−１が配置され、その下に、複数行に分けて端末状態表示部６５−１が配置される。第２画面６２−２も同様であり、第２画面６２−２の上部には第２指定操作部６４−２が配置され、その下に、複数行に分けて端末状態表示部６５−２が配置される。
【００５９】
第１指定操作部６４−１には、種別を指定するため、火報釦６６、防排煙釦６８、連動用釦７０、端末障害釦７２、ガス釦７４、監視釦７６、Ｐ入力釦７８、及び連動先釦８０が配置され、更に、全選択釦８２と全解除釦８４が配置されている。
【００６０】
火報釦６６は火災感知器及び発信機を含む火報端末の種別を指定する。防排煙釦６８は防火戸及び排煙装置を含む防排煙端末の種別を指定する。連動用釦７０は連動先に指定された端末を指定する。端末障害釦７２は障害警報中の端末を指定する。ガス釦７４はガス漏れ警報器を指定する。監視釦７６は防犯検出器等の監視センサを指定する。
【００６１】
Ｐ入力釦７８は適宜の接点信号を入力するＰ入力端末（接点入力端末）を指定する。連動先釦８０は連動元に対応した連動先を指定するものであるが、第１画面６２−１は連動元の端末状態を表示することから、連動先釦８０の操作は無効化され、指定操作には使用されない。
【００６２】
第２指定操作部６４−２にも、第１指定操作部６４−１と同様に、火報釦６６、防排煙釦６８、連動用釦７０、端末障害釦７２、ガス釦７４、監視釦７６、Ｐ入力釦７８、及び連動先釦８０が配置され、更に、全選択釦８２と全解除釦８４が配置されている。ここで、第２画面６２−２は、第１画面６２−１に表示させる連動元に対応して連動先を表示することから、連動先釦８０は有効に操作することができる。
【００６３】
第１指定操作部６４−１と第２指定操作部６４−２に配置された各操作釦はラジオ釦として機能し、各操作釦を画面タッチすると、枠内にドットが表示されて指定操作が行われたことを示し、操作釦で指定した種別の端末状態が端末状態表示部６５−１，６５−２にアドレス単位に表示される。
【００６４】
（連動制御の端末状態を表示する端末情報表示画面）
図４は第１画面と第２画面により連動元と連動先の端末状態を表示した端末情報表示画面の一例を示した説明図である。
【００６５】
図４に示すように、 本実施形態の端末情報表示画面６０−１は、第１画面６２−１の第１指定操作部６４−１における火報釦６６を画面タッチによりドットで示すように操作して連動元の種別を指定すると、図２に示した端末情報５２に基づき、端末状態表示部６５−１に、例えば第１報目から第３報目までの火報端末となるアドレス００１，００９，０１５の煙アナログ感知器からの火災信号の受信を示す感知器発報状態８６−１〜８６−３が表示される。
【００６６】
続いて、第２画面６２−２の第２指定操作部６４−２における防排煙釦６８を操作し且つ連動先釦８０を操作した状態で、更に、第１画面６２−１に表示している例えば１報目の感知器発報状態８６−１を画面タッチにより斜線で示すように選択操作すると、第２画面６２−２の端末状態表示部６５−２に、連動元となる１報目の感知器発報状態８６−１に対応して連動制御された連動先となる防火戸の状態が図２の端末情報５２に基づき表示される。
【００６７】
本実施形態には、アドレス００１となる１報目の感知器発報状態８６−１の火災発報に対し、アドレス００２〜００７，０１０の７台の防火戸が連動先として表示される。このうちアドレス００２，００３，００５の防火戸は防火戸の閉鎖作動に対し閉鎖検出器から閉鎖検出信号が得られたことで「確認」の動作状態となり、アドレス００４の防火戸は閉鎖作動が行われていないことから「未作動」の動作状態となり、更に、アドレス００６，００７，０１０の防火戸は閉鎖起動は行われたが閉鎖検出器からの閉鎖検出信号が得られていないことから「起動」の動作状態となっている。
【００６８】
更に、アドレス００４，００６，００７，０１０の「起動」の防火戸については、斜線部で示すように所定の背景色で表示し、閉鎖検出による確認待ちにあることが分かるように表示している。
【００６９】
また、２報目の感知器発報状態８６−２又は３報目の感知器発報状態８６−３を画面タッチにより選択すると、それぞれに対応した連動先となる防火戸の状態が第２画面６２−２の端末状態表示部６５−２に表示され、２報目又は３報目の連動先の端末の状態を確認することができる。
【００７０】
なお、第１画面６２−１の端末状態表示部６５−１に１報目の感知器発報状態８６−１しか表示されない場合は、感知器発報状態８６−１の画面タッチによる選択操作を行うことなく、第２画面６２−２の端末状態表示部６５−２に連動先となる防火戸の端末状態を表示させるようにしても良い。
【００７１】
（第１画面の種別の状態表示を第２画面で絞り込み表示する端末情報表示画面）
図５は第１画面に全種別の端末状態を表示し、第２画面に火報端末の状態を絞込み表示した端末情報表示画面の一例を示した説明図である。
【００７２】
図５に示すように、本実施形態の端末情報表示画面６０−２にあっては、第１画面６２−１の第１指定操作部６４−１において、火報釦６６、防排煙釦６８、連動用釦７０、端末障害釦７２、ガス釦７４、監視釦７６及びＰ入力釦７８を画面タッチにより操作して全種別を指定しており、このため端末状態表示部６５−１には図２の端末情報５２に基づき、アドレス００１〜０１０として火報、防火戸、Ｐ入力となる種別の端末情報が表示され、アドレス０１１以降については、スクロール操作により端末状態が表示できる。
【００７３】
これに対し第２画面６２−２の第２指定操作部６４−２では、火報釦６６のみを画面タッチにより操作して単一の種別を指定しており、そのため、端末状態表示部６５−２には、端末状態表示部６５−１に表示している全種別の端末状態の中から、火報端末に種別を絞り込んだアドレス００１，００９，０１５の火災発報となった３台の煙アナログ感知器の端末状態が表示される。
【００７４】
このような特定種別に絞り込んだ端末状態の表示は、第２指定操作部６４−２で、防排煙、連動用、端末障害、ガス、監視、Ｐ入力等の他の種別指定により、同様に、指定された特定の種別に絞り込んだ端末状態を端末状態表示部６５−２に表示させることができる。
【００７５】
即ち、第１画面６２−１で全種別の端末状態を表示して全体的に確認可能とし、同時にも第２画面６２−２で特定の種別に絞り込んだ端末状態を表示して、種別毎の端末状態の確認が簡単にできる。
【００７６】
図６は第１画面に全種別の端末状態を表示し、第２画面に監視端末とＰ入力端末の状態を絞込み表示した端末情報表示画面の一例を示した説明図である。図６に示すように、本実施形態の端末情報表示画面６０−３にあっては、第１画面６２−１の第１指定操作部６４−１により、図５と同様、火報釦６６、防排煙釦６８、連動用釦７０、端末障害釦７２、ガス釦７４、監視釦７６及びＰ入力釦７８の操作により全種別を指定し、端末状態表示部６５−１に図２の端末情報５２に基づき、アドレス００１〜０１０として火報、防火戸、Ｐ入力となる種別の端末情報が表示され、アドレス０１１以降については、スクロール操作により端末状態が表示される。
【００７７】
これに対し第２画面６２−２の第２指定操作部６４−２では、監視釦７６とＰ入力７８を画面タッチにより操作して２つの種別を指定しており、そのため、端末状態表示部６５−２には、端末状態表示部６５−１に表示している全種別の端末状態の中から、Ｐ入力端末に種別を絞り込んだアドレス００８，０２０，０２３として、「劇場東エレベータ  停止」、「劇場１Ｆ空調  停止」、及び「劇場２Ｆ空調  停止」の端末状態が表示され、また、監視端末に種別を絞り込んだアドレス０２６として「劇場東  防犯扉  開」の端末状態が表示される。
【００７８】
図７は第１画面に全種別の端末状態を表示し、第２画面に防排煙端末の状態を絞込み表示した端末情報表示画面の一例を示した説明図である。図７に示すように、本実施形態の端末情報表示画面６０−４にあっては、第１画面６２−１の第１指定操作部６４−１により、図５と同様、火報釦６６、防排煙釦６８、連動用釦７０、端末障害釦７２、ガス釦７４、監視釦７６及びＰ入力釦７８の操作により全種別を指定し、端末状態表示部６５−１に図２の端末情報５２に基づき、アドレス００１〜０１０として火報、防火戸、Ｐ入力となる種別の端末情報が表示され、アドレス０１１以降については、スクロール操作により端末状態が表示される。
【００７９】
これに対し第２画面６２−２の第２指定操作部６４−２では、防排煙釦６８のみを操作して単一の種別を指定しており、そのため、端末状態表示部６５−２には、端末状態表示部６５−１に表示している全種別の端末状態の中から、防排煙端末に種別を絞り込んだアドレス００２〜００７，０１０〜０１３として、防火戸の動作状態が表示され、残りのアドレスの防火戸についてはスクロール表示される。
【００８０】
（第１画面と第２画面に異なる種別の端末状態を表示）
図８は第１画面に火報端末の状態を表示し、第２画面に防排煙端末の状態を表示した端末情報表示画面の一例を示した説明図である。
【００８１】
図８に示すように、本実施形態の端末情報表示画面６０−５にあっては、第１画面６２−１の第１指定操作部６４−１により火報釦６６を操作して火報端末のみを指定しており、端末状態表示部６５−１には、火災発報となったアドレス００１，００９，０１５の煙アナログ感知器の端末状態が表示される。
【００８２】
これに対し第２画面６２−２の第２指定操作部６４−２では防排煙釦６８を操作して防排煙端末のみを指定しており、端末状態表示部６５−２には、アドレス００２〜００７，０１０〜０１３として、防火戸の動作状態が表示され、残りのアドレスの防火戸についてはスクロール表示される。
【００８３】
このように端末情報表示画面６０−５では、第１画面６２−１と第２画面６２−２に異なる種別の端末状態を別々に表示させることで、従来は１画面１種別の端末状態の表示であったものが、本実施形態にあっては、１画面２種別の端末状態の表示とすることができ、種別毎に端末状態を確認する作業効率を高めることができる。
【００８４】
勿論、第１画面６２−１と第２画面６２−２による端末状態の２画面表示は、それぞれで指定する端末種別の組み合わせにより、図５乃至図８に示した以外の適宜の組み合わせとなる端末状態の表示ができる。
【００８５】
［端末状態表示制御］
図９は受信機による端末状態表示制御を示したフローチャートであり、図１の受信機１０のメインＣＰＵ２６に設けられた端末情報表示制御部５０による制御動作となる。
【００８６】
図９に示すように、施工保守モードで動作している受信機１０の端末情報表示制御部５０は、初期状態で図３に示した端末状態未表示の端末情報表示画面６０をディスプレイ３６に表示しており、ステップＳ１で第１指定操作部６４−１による種別指定を判別するとステップＳ２に進み、指定された種別の端末状態を端末情報５２から読み出して第１画面６２−１に表示する。
【００８７】
続いて、端末情報表示制御部５０は、ステップＳ３で第２指定操作部６４−２による種別指定を判別するとステップＳ４に進み、第２指定操作部６４−２による連動先の指定有無を判別し、連動先の指定無しを判別するとステップＳ５に進み、第２指定操作部６４−２で指定された種別の端末状態を端末情報５２から読み出して第２画面６２−２に表示する。
【００８８】
一方、端末情報表示制御部５０がステップＳ４で第２指定操作部６４−２による連動先の指定有りを判別するとステップＳ６に進み、第１画面６２−１に表示している端末状態に対する連動元の選択操作を判別するとステップＳ７に進み、選択した連動元に対応した連動先の端末状態を第２画面６２−２に表示する。
【００８９】
続いて、端末情報表示制御部５０はステップＳ８で画面表示の終了操作の有無を判別しており、画面表示の終了操作が判別されるまでは、ステップＳ１からの処理を繰り返し、施工端末の状態を、端末情報表示画面を分割した２画面に分けて表示させる制御を繰り返している。
【００９０】
［受信機と中継盤で構成された分散システムのデータ変更］
図１０は中継盤の端末状態を受信機の端末情報表示画面により表示する火災報知設備の実施形態を示した説明図である。
【００９１】
監視対象とする施設が複数の住棟に分かれる等して大規模になる場合には、図１０に示すように、防災センター等に設置した受信機１０に加え、例えば住棟毎に分けて中継盤１００が設置され、受信機１０と中継盤１００の間がイーサネット（登録商標）等のネットワーク回線１０８により通信接続されている。
【００９２】
受信機１０は図１に示したと同じであり、これに対し中継盤１００は図１の受信機１０からディスプレイ３６、表示部３８、操作部４０及び音響警報部４２を含む操作表示機能を除いた構成となり、それ以外は、受信機１０と基本的に同じとなり、警戒区域に引き出された信号回線１０２にアナログ火災感知器１４を含む端末が受信機１０と同様に接続され、更に、中継盤１００毎に端末管理部１０４が設けられ、端末管理部１０４により生成管理される中継盤１００の端末情報１０６が記憶されている。
【００９３】
受信機１０には端末情報表示制御部５０の機能が設けられ、端末情報表示制御部５０は、図１の実施形態に示した端末情報表示画面を第１画面と第２画面に分割して受信機１０の端末情報５２に基づく端末状態の表示に加え、受信機１０における中継盤１００の端末状態を表示させる所定の指定操作に基づき、指定された中継盤１００にネットワーク回線１０８によりデータ転送要求を行って中継盤１００の端末情報１０６を取得し、中継盤１００を対象とした第１画面と第２画面に分割して指定された種別又は連動関係を示す端末状態を示す端末情報表示画面を受信機１０のディスプレイに表示するようにしている。
【００９４】
このため中継盤１００の端末状態を２画面に分けて表示された端末情報表示画面を見ることで、中継盤１００における端末の状況を簡単に確認することができる。
【００９５】
［端末の履歴表示］
また、本発明の他の実施形態にあっては、受信機１０に、アナログ火災感知器１４、オンオフ火災感知器１８と発信機２０を接続した感知器回線１７、アドレッサブル発信機２２、防排煙機器２４等の端末の履歴情報を端末情報５２と共に記憶しており、端末表示制御部５０は、履歴についても表示可能である。
【００９６】
第１の表示形態においては、第１画面及び第２画面ともに端末状態変化を履歴情報として表示する。第１指定操作部６４−１の例えば火報釦６６を操作すると、第１画面６４−１に設定時刻以前の火災イベントを含む直近の端末状態変化を元に、設定時刻における例えばアナログ火災感知器１４の状態変化を示す履歴情報を表示し、また、第２指定操作部６４−２の防排煙釦６８と連動先釦８０を操作すると、第１画面６４−１に履歴表示したアナログ火災感知器１４の連動先となる防火戸の履歴情報が第２画面６４−２に表示される。例えば、火災感知器１８の発報を示す情報が第１画面６４−１に履歴表示され、防火戸１の起動を示す情報及び防火戸１の確認を示す情報が第２画面６４−２に表示される。
【００９７】
第２の表示形態においては、設定時刻における端末状態を表示する。端末表示制御部５０は、所定の履歴表示画面を使用して時刻（年月日時分）を指定した利用者の履歴表示操作を検出すると、図３に示した端末情報表示画面６０をディスプレイ３６に表示し、図４に示したように、第１指定操作部６４−１の例えば火報釦６６を操作すると、第１画面６４−１に設定時刻以前の火災イベントを含む直近の端末状態変化を元に、設定時刻における例えばアナログ火災感知器１４の状態を表示し、また、第２指定操作部６４−２の防排煙釦６８と連動先釦８０を操作すると、第１画面６４−１に履歴表示したアナログ火災感知器１４の連動先となる防火戸の状態が第２画面６４−２に表示され、履歴解析や試験結果の確認に利用することができる。
【００９８】
時刻設定は時刻を直接入力しても良いし、所定の端末状態変化を示す履歴情報を選択してその状態変化が発生した時刻を基準として、当該時刻または当該時刻から所定時間前または後の時刻を時刻設定可能としてもよい。
【００９９】
［本発明の変形例］
（分割画面）
上記の実施形態は、端末情報表示画面を２画面に分割して端末状態を表示しているが、更に、３画面、４画面等の２画面を超える複数画面に分割して端末状態を表示するようにしても良い。
【０１００】
（Ｐ型受信機）
上記の実施形態は、Ｒ型の受信機からの信号回線を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備についても、同様に、受信機の端末管理部で生成管理されている端末情報を工事関係者の携帯端末に送信して施工状況管理サブ画面を表示させるようにしても良い。
【０１０１】
（携帯端末）
上記の実施形態では、受信機のディスプレイに端末状態を２画面に分けた端末情報表示画面を表示しているが、受信機に無線通信部を設け、工事関係者が携帯する携帯端末に端末情報を送信し、携帯端末側で端末情報に基づき端末状態を２画面に分けた端末情報表示画面を表示するようにしても良い。
【０１０２】
（その他）
また、本発明はその目的と利点を損なうことのない適宜の変形を含み、更に上記の実施形態に示した数値による限定は受けない。
【符号の説明】
【０１０３】
１０：受信機
１２−１〜１２−３：信号回線
１４：アナログ火災感知器
１６：中継器
１７：感知器回線
１８：オンオフ火災感知器
２０：発信機
２２：アドレッサブル発信機
２４：防排煙機器
２６：メインＣＰＵ
２８−１〜２８−３：サブＣＰＵ基板
３０−１〜３０−３：サブＣＰＵ
３２−１〜３２−３：伝送部
３４：シリアル転送バス
３６，６８：ディスプレイ
３８：表示部
４０：操作部
４２：音響警報部
４４：移報部
４６：火災監視制御部
４８，１０４：端末管理部
５０：端末情報表示制御部
５２，１０６：端末情報
６０，６０−１〜６０−５：端末情報表示画面
６２−１：第１画面
６２−２：第２画面
６４−１：第１指定操作部
６４−２：第２指定操作部
６５−１，６５−２：端末状態表示部
６６：火報釦
６８：防排煙釦
７０：連動用釦
７２：端末障害釦
７４：ガス釦
７６：監視釦
７８：Ｐ入力釦
８０：連動先釦
８２：全選択釦
８４：全解除釦
１００：中継盤
１０８：ネットワーク回線
【図１】
2020107167.tif 000003
【図２】
2020107167.tif 000004
【図３】
2020107167.tif 000005
【図４】
2020107167.tif 000006
【図５】
2020107167.tif 000007
【図６】
2020107167.tif 000008
【図７】
2020107167.tif 000009
【図８】
2020107167.tif 000010
【図９】
2020107167.tif 000011
【図１０】
2020107167.tif 000012
【図１１】
2020107167.tif 000013